(57)【要約】      （修正有）【課題】汎用表示端末で生体波形情報を参照あるいは計測、解析する際の利便性を向上させることが可能な生体波形情報システムを提供する。【解決手段】生体波形情報収集装置１００と、汎用表示端末２００と、サーバと、を備え、サーバは、汎用表示端末２００とネットワーク４を介して通信可能であり、サーバは、保存部と、処理部と、データ生成部と、を備え、データ生成部が生成した表示用データは、ネットワーク４を介して汎用表示端末２００に送信されて、汎用表示端末２００において表示可能である。【選択図】図１
2019063173.tif 000002
【特許請求の範囲】
【請求項１】
生体波形情報収集装置と、
汎用表示端末と、
サーバと、を備え、
前記サーバは、前記汎用表示端末とネットワークを介して通信可能であり、
前記サーバは、
前記生体波形情報収集装置より受信した生体波形情報を保存する保存部と、
前記生体波形情報を処理する処理部と、
処理された前記生体波形情報に基づいて表示用データを生成するデータ生成部と、を備え、
前記データ生成部が生成した前記表示用データは、前記ネットワークを介して前記汎用表示端末に送信されて、前記汎用表示端末において表示可能である、生体波形情報システム。
【請求項２】
前記汎用表示端末は、ユーザからの入力を受け付ける入力部を有し、
前記入力部への入力に基づいて、前記処理部による前記処理の種類が設定される、請求項１に記載の生体波形情報システム。
【請求項３】
前記生体波形情報は心電図データであり、前記処理部は、前記心電図データに基づいて疑似誘導波形を算出する、請求項１又は２に記載の生体波形情報システム。
【請求項４】
前記処理部は、ハイパスフィルタ又はローパスフィルタを用いて前記生体波形情報を処理することができる、請求項１〜３のいずれか一項に記載の生体波形情報システム。
【請求項５】
前記データ生成部は、前記表示用データの表現形式を変更することができる、請求項１〜４のいずれか一項に記載の生体波形情報システム。
【請求項６】
前記データ生成部が生成した前記表示用データは、汎用ブラウザにより、前記汎用表示端末に表示される、請求項１〜５のいずれか一項に記載の生体波形情報システム。
【発明の詳細な説明】
【技術分野】
【０００１】
本発明は、生体波形情報システムに関する。
【背景技術】
【０００２】
閉じられたネットワーク（たとえば、医療機関）に接続された生体波形情報システムにおいては、同ネットワークに接続された生体波形情報を生成するモダリティからデータが登録される。それにより、同ネットワークに接続されたクライアント端末等を操作する医療従事者等が、参照権限などの設定にしたがって、生体波形情報を閲覧することができる。
【０００３】
医用画像を扱うクラウドベースのシステムとしては、例えば、通信回線を介して接続されるメディカル・アプリケーション・サービス・プロバイダ（ＭＡＳＰ）と医療機関の端末装置間で医療情報を送受するためのシステムがある（特許文献１参照）。
【先行技術文献】
【特許文献】
【０００４】
【特許文献１】特開２００２−１３２９５７号公報
【発明の概要】
【発明が解決しようとする課題】
【０００５】
しかしながら、生体波形情報システムに登録された生体波形情報を参照あるいは計測、解析する際、 医療従事者は、生体波形ビューアがインストールされている限られた専用端末で操作するしかなく、利便性に欠いていた。
【０００６】
本発明は、限られた専用端末だけでなく汎用表示端末で生体波形情報を参照あるいは計測、解析する際の利便性を向上させることが可能な生体波形情報システムを提供することを目的とする。
【課題を解決するための手段】
【０００７】
本発明の一態様に係る生体波形情報システムは、
生体波形情報収集装置と、
汎用表示端末と、
サーバと、を備え、
前記サーバは、前記汎用表示端末とネットワークを介して通信可能であり、
前記サーバは、
前記生体波形情報収集装置より受信した生体波形情報を保存する保存部と、
前記生体波形情報を処理する処理部と、
処理された前記生体波形情報に基づいて表示用データを生成するデータ生成部と、を備え、
前記データ生成部が生成した前記表示用データは、前記ネットワークを介して前記汎用表示端末に送信されて、前記汎用表示端末において表示可能である。
【０００８】
上記構成によれば、サーバが生体波形情報の処理を行い、さらに、その処理された生体波形情報に基づき、汎用表示端末に表示するためのデータも生成するため、汎用表示端末では生体波形情報の処理や表示用データの生成を行う必要がなくなる。
このように、上記構成によれば、汎用表示端末で生体波形情報を操作することができるので、利便性が向上する。
【発明の効果】
【０００９】
本発明によれば、汎用表示端末で生体波形情報を参照あるいは計測、解析する際の利便性を向上させることが可能な生体波形情報システムを提供することができる。
【図面の簡単な説明】
【００１０】
【図１】本発明の一実施形態に係る生体波形情報システムを示す図である。
【図２】生体波形情報収集装置、サーバ、汎用表示端末の機能ブロック図である。
【図３】本発明の一実施形態に係る生体波形情報システムを説明するためのシーケンス図である。
【図４】本発明の一実施形態に係る生体波形情報システムにおけるログイン画面を示す図である。
【図５】本発明の一実施形態に係る生体波形情報システムにおける被検者検索画面を示す図である。
【図６】本発明の一実施形態に係る生体波形情報システムにおける検査履歴表示画面を示す図である。
【図７】（ａ）は、導出１２誘導心電図を表示させている状態を示す図である。（ｂ）は、導出１８誘導心電図を表示させている状態を示す図である。
【図８】（ａ）〜（ｃ）は、誘導処理を入力部に入力する際のツールバーの遷移を示した拡大図である。
【図９】は、表示部上での表示形式を変更したい場合の処理命令に関するアイコンの一例を示した図である。
【発明を実施するための形態】
【００１１】
以下、本発明の実施形態について図面を参照しながら説明する。
【００１２】
図１は、実施形態に係る生体波形情報システム１を示している。図1に示すように、生体波形情報システム１は、生体波形情報収集装置１００と、汎用表示端末２００と、サーバ３００と、を有している。生体波形情報収集装置１００は、医療機関といった閉じられたネットワーク内にあり、ゲートウェイ２とオープンネットワーク５を介して外部ネットワーク上にあるサーバ３００と通信可能である。サーバ３００は、オープンネットワーク４を介して外部ネットワーク上にある汎用表示端末２００や外部医療機関における閲覧端末３と通信可能である。汎用表示端末２００としては、例えば、デスクトップタイプのＰＣ、ノートＰＣ、タブレット端末、スマートフォン等の電子機器が利用され得る。
【００１３】
図２は、生体波形情報収集装置、サーバ、汎用表示端末の機能ブロック図である。生体波形情報収集装置１００は、例えば、心電図記録装置であり、制御部１０１と、記憶装置１０２と、ネットワークインターフェース１０３と、表示部１０４と、入力操作部１０５と、センサインターフェース１０６と、を備える。これらはバス１０７を介して互いに通信可能に接続されている。
【００１４】
制御部１０１は、メモリとプロセッサを備えている。メモリは、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)であって、ＲＯＭに組み込まれた各種プログラムから指定されたプログラムをＲＡＭ上に展開し、ＲＡＭとの協働で各種処理を実行するように構成されている。例えば、制御部１０１は、ＲＡＭとの協働でプログラムを実行することで、センサインターフェース１０６を介して取得した生体波形情報を、記憶装置１０２に保存する処理を制御する。また、制御部１０１は、ＲＡＭとの協働でプログラムを実行することで、ネットワークインターフェース１０３を介して、生体波形情報をサーバ３００に送信（アップロード）する処理を制御する。
【００１５】
記憶装置１０２は、例えば、ＵＳＢフラッシュメモリやＳＤカード等の記憶装置であって、プログラムや各種データを格納するように構成されている。
【００１６】
ネットワークインターフェース１０３は、外部ネットワークにあるサーバ３００と、ゲートウェイ２及びオープンネットワーク５を介して通信可能に接続されるように構成されている。このため、記憶装置１０２に記憶された生体波形情報は、ネットワークインターフェース１０３を介して外部にあるサーバ３００に送信可能である。
【００１７】
表示部１０４は、液晶ディスプレイ、有機ＥＬディスプレイ等のディスプレイであって、センサインターフェース１０６を介してリアルタイムに取得された心電図波形データに基づいて、時間軸上に連続的に発生する複数の心電図波形をリアルタイムに表示するように構成されている。尚、表示部１０４は生体波形情報収集装置１００に設けられていなくてもよい。
【００１８】
入力操作部１０５は、生体波形情報収集装置１００を操作するユーザ（医療従事者）の入力操作を受け付けると共に、当該入力操作に対応する指示信号を生成するように構成されている。入力操作部１０５は、例えば、表示部１０４上に重ねて配置されたタッチパネル、筐体に取り付けられた操作ボタン、イベントスイッチ等である。入力操作部１０５は、生体波形情報の取得を開始するための入力操作や、表示波形を切り換えるための入力操作等を受け付けて、当該入力操作に対応する操作信号を生成する。生成された指示信号は、バス１０７を介して制御部１０１に送信され、制御部１０１は、指示信号に基づいて、生体波形情報収集装置１００の動作を制御するように構成されている。
【００１９】
センサインターフェース１０６は、被検者に装着された複数の電極と不関電極に接続されている。電極は、被検者の測定部位に接触し、測定部位の電位変化を導出するためのセンサとして機能する。電極は、測定部位の電位差を導出するように構成され、不関電極は、電極に同相で誘導される外来雑音を除去するように構成される。
【００２０】
センサインターフェース１０６には、電極から出力される電位変化（電位）を示す電気信号と、不関電極から出力される電位変化（電位）を示す電気信号が入力される。センサインターフェース１０６は、電極によって導出された電位と、他の電極によって導出された電位を差動増幅し、不関電極から導出された電位により外来雑音を除去し、増幅された心電図信号を生成する。さらに、センサインターフェース１０６は、増幅された心電図信号をアナログ-デジタル変換（ＡＤ変換）することで、心電図波形データを生成する。生成された心電図波形データは、バス１０７を介して制御部１０１のメモリに供給される。ここで、心電図波形データは、時間軸上に連続的に発生する複数の心電図波形（一拍動で生じる波形）を示すものである。
【００２１】
尚、生体波形情報収集装置１００は、図示しない電源を有している。電源は、例えば、乾電池である。
【００２２】
サーバ３００は、例えば、クラウドサーバであって、保存部３０１、第一ネットワークインターフェース３０４、第二ネットワークインターフェース３０５、制御部３０７を備える。これらはバス３０６を介して互いに通信可能に接続されている。
【００２３】
保存部３０１は、生体波形情報等を保存可能な記憶領域を有している。
【００２４】
制御部３０７は、処理部３０２及びデータ生成部３０３を備えている。処理部３０２とデータ生成部３０３は、メモリとプロセッサを備えている。メモリは、プロセッサにより実行される各種プログラム等が格納される複数ワークエリアを有するＲＡＭ(Ｒａｎｄｏｍ  Ａｃｃｅｓｓ  Ｍｅｍｏｒｙ)を備える。プロセッサは、例えばＣＰＵ(Ｃｅｎｔｒａｌ  Ｐｒｏｃｅｓｓｉｎｇ  Ｕｎｉｔ)であって、指定されたプログラムをＲＡＭに展開し、ＲＡＭとの協働で各種処理を実行するように構成されている。制御部３０７は、ＲＡＭとの協働でプログラムを実行することで、処理部３０２による、生体波形情報収集装置１００から送信された生体波形情報に対する波形処理を制御する。また、制御部３０７は、ＲＡＭとの協働でプログラムを実行することで、データ生成部３０３が、処理部３０２が処理した生体波形情報データから表示用データを生成する処理を制御する。
【００２５】
第一ネットワークインターフェース３０４は、ゲートウェイ２及びオープンネットワーク５を介して、ネットワークインターフェース１０３と通信可能に接続されている。また、第二ネットワークインターフェース３０５は、オープンネットワーク４、例えば、Ｗｉ−Ｆｉオープンネットワークを介して、汎用表示端末２００や外部医療機関における閲覧端末３と通信可能に接続されている。
【００２６】
汎用表示端末２００は、表示部２０１と、入力部２０２と、制御部２０３と、ネットワークインターフェース２０４と、を備える。これらはバス２０５を介して互いに通信可能に接続されている。
【００２７】
表示部２０１は、液晶ディスプレイ、有機ＥＬディスプレイ等のディスプレイであって、画像（操作画像や各種アプリケーション画像等）を表示するように構成されている。
【００２８】
入力部２０２は、汎用表示端末２００を操作する医療従事者の入力操作を受け付けるように構成されており、例えば、表示部２０１上に重ねて配置されたタッチディスプレイや、表示部２０１とは別個に設けられた操作ボタン等である。
【００２９】
制御部２０３は、メモリとプロセッサを備えている。メモリは、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)であって、ＲＯＭに組み込まれた各種プログラムから指定されたプログラムをＲＡＭ上に展開し、ＲＡＭとの協働で各種処理を実行するように構成されている。制御部２０３は、汎用表示端末２００の各種動作を制御するように構成されており、メモリに格納された端末プログラムに従って動作する。例えば、制御部２０３は、ＲＡＭとの協働でプログラムを実行することで、表示部２０１の各種動作を制御し、医療従事者の要求に応じた表示用データを表示部２０１上に表示させる。例えば、制御部２０３は、汎用ブラウザを起動させて、画像を表示部２０１に表示させる。
【００３０】
ネットワークインターフェース２０４は、オープンネットワーク４を介して、第二ネットワークインターフェース３０５と通信可能に接続されている。
【００３１】
図３は、本発明の一実施形態に係る生体波形情報システムを説明するためのシーケンス図である。
【００３２】
図３に示すように、ステップＳ１において、生体波形情報収集装置１００は、センサインターフェース１０６を介して被検者から生体波形情報を取得する。例えば、心電図を取得する場合、第一に、被検者の体表面の所定の部位に心電図測定電極を装着する。例えば、左右腕部と左右下肢の４箇所と、第４肋間胸骨左縁位置と左前腋窩線と第５肋間を横切る水平線との交点位置の２箇所の、合計６箇所の測定部位に心電図測定電極を装着する。
【００３３】
次に、医療従事者は、被検者名、被検者年齢、被検者性別といった被検者情報を生体波形情報収集装置１００の入力操作部１０５に入力する。その後、測定誘導数や測定誘導名を入力する。
【００３４】
医療従事者は、生体波形情報収集装置１００の測定スイッチをＯＮする。測定スイッチがＯＮされることによって、心電図の生成が開始される。
【００３５】
次に、ステップＳ２において、取得された生体波形情報は、生体波形情報収集装置１００とゲートウェイ２とオープンネットワーク５を介して接続されたサーバ３００に送信（アップロード）される。
【００３６】
ステップＳ３において、サーバ３００は、生体波形情報収集装置１００から送信された生体波形情報を保存部３０１に保存する。次に、ステップＳ４において、サーバ３００は、生体波形情報を汎用表示端末２００上で表示できる生体波形情報データにするため、処理部３０２で波形処理を行う。
【００３７】
前記波形処理について、初期データとしての導出１２誘導心電図（疑似誘導波形の一例）を生成して保存する場合を例にとって説明する。
【００３８】
この場合、導出１２誘導心電図を生成するには心電図信号が不足している。そこで、生体波形情報収集装置１００は、心電図測定電極で実際には測定していない残り４つの胸部誘導の導出心電図を生成する。具体的には、生体波形情報収集装置１００は、６個の心電図測定電極から取得した心電図信号に基づき、行列式等を用いて、導出１２誘導心電図を生成し出力する。
【００３９】
ステップＳ５において、医療従事者は、汎用表示端末２００の表示部２０１を介して、ログインの処理を行う。表示部２０１上には、初期画面として、ログイン画面が表示される。
【００４０】
図４は、本発明の一実施形態に係る生体波形情報システムにおけるログイン画面を示す図である。図４では、ウェブブラウザを介して、ログイン画面が汎用表示端末２００の表示部２０１に表示されている。ログイン画面の画面中央部には、ユーザＩＤとパスワードを入力する箇所が配置されており、パスワードを入力する箇所の右下には、ログインと表示されたログインボタンが配置されている。この画面において、医療従事者は、自身のユーザＩＤとパスワードを所定の箇所に入力し、その後、ログインボタンをクリックする。これにより、医療従事者はログインできる。
【００４１】
次に、ステップＳ６において、操作したい生体波形情報を有する被検者を被検者の一覧から選択する。ステップＳ５において、ログインが実行されると、被検者の一覧が表示部２０１上に表示される。
【００４２】
図５は、本発明の一実施形態に係る生体波形情報システムにおける被検者検索画面を示す図である。図５に示すように、画面上部には、被検者を検索するための検索ボックスが配置されている。また、検索ボックスの下部には、被検者の一覧が表示されている。対象の被検者の選択に当たっては、この検索ボックスで検索することができ、被検者ＩＤ又は被検者名から被検者を検索することができる。検索に当たっては、完全一致検索でもよいし、あいまい検索であってもよい。また、漢字、カタカナ、ひらがないずれであっても検索可能である。また、これ以外の項目を検索キーとしてもよい。図５の例では、被検者名の検索ボックスにコウデンと入力して、対象被検者を被検者の一覧から探索している。医療従事者は、対象被検者名が表示された箇所をクリックすることで、対象被検者を選択することができる。
【００４３】
図６は、本発明の一実施形態に係る生体波形情報システムにおける検査履歴表示画面を示す図である。ステップ６で一の被検者を選択すると、図６に示すように、当該選択した被検者の検査履歴が表示部２０１に表示される。検査履歴画面では、検査種別ごとに分類されてアイコンで表示されている。図６の例では、血液検査、心電図検査、超音波検査等に関するアイコンが表示されている。尚、図６の例では、アイコンが表示されているが、アイコンではなく、文字や写真が表示されてもよい。
【００４４】
ステップＳ７において、医療従事者は、入力部２０２を介して、生体波形情報の閲覧等の処理を要求することができる。例えば、図６に示す表示画面において、医療従事者が、閲覧したい生体波形情報に関する検査のアイコンをクリックすると、当該閲覧の要求が汎用表示端末２００に送られる。そうすると、ステップＳ８において、入力部２０２は医療従事者からの処理要求を受け付ける。そして、ステップＳ９において、汎用表示端末２００は入力された処理要求を、オープンネットワーク４を介して接続されるサーバ３００に伝達する。
【００４５】
ステップＳ１０において、処理部３０２は、汎用表示端末２００から伝達された処理要求の種類を設定する。そして、設定された処理の種類に基づき、生体波形情報データを処理する。
【００４６】
ステップＳ１１において、データ生成部３０３は、処理部３０２が処理した生体波形情報データを表示用データとして生成する。次のステップＳ１２において、汎用表示端末２００は、オープンネットワーク４を介してサーバ３００から表示用データを読み込む（ダウンロードする）。そして、ステップＳ１３で  読み込まれた表示用データが、表示部２０１上に表示される。例えば、導出１２誘導心電図が表示部２０１上に表示される場合、図７（ａ）に示す画像が表示部２０１上に表示される。これにより、医療従事者は表示用データ、すなわち、生体波形情報を閲覧することができる。
【００４７】
医療従事者は、表示用データの表現形式、例えば、心電図の拡大・縮小、心電図の回転、誘導心電図の表示、更には心電図の誘導の切替等、さらなる処理要求をしたい場合、ステップＳ１４において、表示用データの表現形式の変更要求を入力部２０２に入力する。ここでは、導出１２誘導心電図が表示部２０１上に表示されている状態において、表示用データの表現形式を導出１８誘導心電図（疑似誘導波形の一例）に変更する場合を例にとって説明する。
【００４８】
図８（ａ）〜（ｃ）は、誘導処理を入力部に入力する際のツールバーの遷移を示した拡大図である。図８（ａ）に示すように、表示部２０１の右下に配置されているツールボタンに医療従事者が触れると、処理内容の種別が表示される。
【００４９】
そして、波形書式を選択すると、図８（ｂ）に画面が遷移する。図８（ｂ）に示す画面では、波形処理の具体的内容を選択する。例えば、導出１８誘導心電図を表示させたいときは、６ｃｈ×２＋導出を選択する。
【００５０】
図８（ｂ）の画面において、波形処理の具体的内容を選択すると、図８（ｃ）に画面が遷移する。以下では、表現形式として、連続を選択した場合について、説明する。
【００５１】
ステップＳ１５において、入力部２０２は医療従事者からの処理要求を受け付ける。そして、ステップＳ１６において、汎用表示端末２００は入力された処理要求を、オープンネットワーク４を介して接続されるサーバ３００に伝達する。
【００５２】
ステップＳ１７において、処理部３０２は、汎用表示端末２００から伝達された処理要求の種類を設定する。そして、設定された処理の種類に基づき、生体波形情報データを処理する。
【００５３】
ステップＳ１８において、データ生成部３０３は、処理部３０２が処理した生体波形情報データを表示用データとして生成する。例えば、図８（ａ）〜（ｃ）の入力が行われると、データ生成部３０３は、図８（ａ）〜（ｃ）の入力に基づき、図７（ｂ）の表示用データを生成する。
【００５４】
ステップＳ１９では、汎用表示端末２００は、オープンネットワーク４を介してサーバ３００から表示用データを読み込む（ダウンロードする）。そして、読み込まれた表示用データは、ステップＳ２０で、表示部２０１上に表示される。これにより、医療従事者は表現形式が変更された表示用データを閲覧することができる。例えば、図８（ａ）〜（ｃ）の入力が行われた場合、表示部２０１上では、図７（ａ）から図７（ｂ）に切り替わる。
【００５５】
上記では、表示用データの表現形式を導出１２誘導心電図から導出１８誘導心電図に変更する場合を例にとって説明してきた。次に、ステップＳ１４において表示部２０１に表示されるアイコンの変形例を、図９を用いて説明する。図９は、表示部２０１上での表示形式を変更したい場合の処理命令に関するアイコンの一例を示した図である。当該アイコンは、表示部２０１の右下に配置されるツールボタンに医療従事者が触れると表示される。例えば、医療従事者が、拡大に関するアイコンに触れると、表示部２０１に表示されている表示用データの拡大処理の要求が、オープンネットワーク４を介して、汎用表示端末２００から接続されるサーバ３００へ伝達される。処理部３０２は、当該要求に従い、対象の表示用データを拡大処理する。そして、データ生成部３０３は新たな表示用データを生成する。新たに生成された表示用データは、オープンネットワーク４を介して、汎用表示端末２００の表示部２０１上に表示される。尚、保存部３０１には、処理前の表示用データと処理後の表示用データの双方が保存される。
【００５６】
尚、処理部３０２が行う心電図の波形処理については、ノイズを除去するために、ステップＳ１４による変更要求の入力に基づき、ハイパスフィルタにより低周波成分を除去したり、ローパスフィルタにより高周波成分を除去してもよい。
【００５７】
上述の実施形態では、汎用ウェブブラウザを介して、表示用データを汎用表示端末２００に表示させているが、この例に限られず、他の汎用ブラウザであってもよい。例えば、ＪＳＯＮ、ＰＤＦ、ｊｐｅｇ等のデータフォーマットで、表示用データを汎用表示端末２００に表示させてもよい。
【００５８】
上述の実施形態では、表示用画像の表示形式を変更する例として、表示用データを拡大する例や誘導処理の例を用いて説明したが、この例に限られない。例えば、表示用データの表示位置の変更や、心電図における波形の記録感度の変更といった表示形式の変更等も考えられる。
【００５９】
表示用データとしては、画像化された生体波形情報がある。表示用データは静止画に限られず、例えば、動画のようなデータであっても良い。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６１】
１：生体波形情報システム、２：ゲートウェイ、１００：生体波形情報収集装置、１０１：制御部、１０２：記憶装置、１０３：ネットワークインターフェース、１０４：表示部、１０５：入力操作部、１０６：センサインターフェース、１０７：バス、２００：汎用表示端末、２０１：表示部、２０２：入力部、２０３：制御部、２０４：ネットワークインターフェース、２０５：バス、３００：サーバ、３０１：保存部、３０２：処理部、３０３：データ生成部、３０４：第一ネットワークインターフェース、３０５：第二ネットワークインターフェース、３０６：バス
【図１】
2019063173.tif 000003
【図２】
2019063173.tif 000004
【図３】
2019063173.tif 000005
【図４】
2019063173.tif 000006
【図５】
2019063173.tif 000007
【図６】
2019063173.tif 000008
【図７】
2019063173.tif 000009
【図８】
2019063173.tif 000010
【図９】
2019063173.tif 000011